(57)【要約】【課題】光源から射出されたレーザー光の光軸と対応する対物レンズの光軸とが平行になる、光ピックアップの製造方法を実現する。【解決手段】光源から射出されたレーザー光の光軸と、レンズ部に固定された第１の対物レンズの光軸とが平行になるよう、レンズ部の傾斜を調整する工程Ｓ１１０と、光源から射出されたレーザー光の光軸と、レンズ部に傾斜可能に取り付けられている第２の対物レンズの光軸とが平行になるよう、第２の対物レンズの傾斜を調整する工程Ｓ１２０とにより、光源から射出されたレーザー光の光軸と対応する対物レンズの光軸とが平行になるよう、第２の対物レンズの傾斜を調整する。【選択図】図１
2010040107.tif 000002
【特許請求の範囲】
【請求項１】
第１の対物レンズ及び第２の対物レンズを有するレンズ部を備えた光ピックアップの製造方法であって、
オートコリメータより射出されたレーザー光の光軸と上記レンズ部に固定された上記第１の対物レンズの光軸とが平行になるよう、上記第１の対物レンズを通過した後、上記第１の対物レンズと対向するように配置された反射ミラーによって反射された上記レーザー光の戻り光を上記オートコリメータにより観測することによって、傾斜可能に保持されている上記レンズ部の傾斜を調整する第１の傾斜調整工程と、
上記レーザー光の光軸と上記レンズ部に傾斜可能に取り付けられている上記第２の対物レンズの光軸とが平行になるよう、上記第２の対物レンズを通過し、上記第２の対物レンズと対向するように配置された反射ミラーによって反射された上記レーザー光の上記戻り光を上記オートコリメータにより観測することによって、上記第２の対物レンズの傾斜を調整する第２の傾斜調整工程と、を含んでいる、
ことを特徴とする、光ピックアップの製造方法。
【請求項２】
上記反射ミラーは、上記第１の対物レンズ及び上記第２の対物レンズのディスク対向面側に配置されている、
ことを特徴とする、請求項１に記載の光ピックアップの製造方法。
【請求項３】
上記第１の傾斜調整工程と上記第２の傾斜調整工程との間に、上記レンズ部の傾斜を維持したまま上記第１の対物レンズへの上記レーザー光の入射方向と垂直な面内で上記レンズ部を移動する工程を含んでおり、
上記第１の傾斜調整工程において使用する反射ミラーと、上記第２の傾斜調整工程において使用する反射ミラーとは、同一の反射ミラーである、
ことを特徴とする、請求項１又は２に記載の光ピックアップの製造方法。
【請求項４】
上記第１の傾斜調整工程又は第２の傾斜調整工程の前に、上記オートコリメータにより観測された上記戻り光のビーム径を最小化するよう、上記第１の対物レンズへの上記レーザー光の入射方向と平行な方向に上記レンズ部を移動する工程を含んでいる、
ことを特徴とする、請求項１から３までの何れか１項に記載の光ピックアップの製造方法。
【請求項５】
上記レンズ部には、上記第１の対物レンズを取り付けるための取付孔であって、上記第１の対物レンズと嵌合する取付孔が形成されている、
ことを特徴とする、請求項１から４までの何れか１項に記載の光ピックアップの製造方法。
【請求項６】
上記レンズ部には、上記第２の対物レンズを取り付けるための取付孔であって、側面が円錐面をなす取付孔が形成されている、
ことを特徴とする、請求項１から５までの何れか１項に記載の光ピックアップの製造方法。
【請求項７】
上記第２の傾斜調整工程は、上記第２の対物レンズの外周部を押圧する３つの爪を有する板状治具を用いて、上記第２の対物レンズの傾斜を調整する工程である、
ことを特徴とする、請求項１から６までの何れか１項に記載の光ピックアップの製造方法。
【請求項８】
上記板状治具の上記３つの爪に囲まれた領域には、開口部が形成されている、
ことを特徴とする請求項７に記載の光ピックアップの製造方法。
【請求項９】
上記開口部は、三つ葉状に形成されており、上記３つの爪は、当該開口部の中心に向かって突出した、上記板状治具の突出部の先端に形成されている、
ことを特徴とする請求項８に記載の光ピックアップの製造方法。
【請求項１０】
第１の対物レンズ及び第２の対物レンズを有するレンズ部を備えた光ピックアップの調整方法であって、
オートコリメータより射出されたレーザー光の光軸と上記レンズ部に固定された上記第１の対物レンズの光軸とが平行になるよう、上記第１の対物レンズを通過した後、上記第１の対物レンズと対向するように配置された反射ミラーによって反射された上記レーザー光の戻り光を上記オートコリメータにより観測することによって、傾斜可能に保持されている上記レンズ部の傾斜を調整する第１の傾斜調整工程と、
上記レーザー光の光軸と上記レンズ部に傾斜可能に取り付けられている上記第２の対物レンズの光軸とが平行になるよう、上記第２の対物レンズを通過し、上記第２の対物レンズと対向するように配置された反射ミラーによって反射された上記レーザー光の上記戻り光を上記オートコリメータにより観測することによって、上記第２の対物レンズの傾斜を調整する第２の傾斜調整工程と、を含んでいる、
ことを特徴とする、光ピックアップの調整方法。
【請求項１１】
第１の対物レンズ及び第２の対物レンズを有するレンズ部を備えた光ピックアップの製造装置であって、
オートコリメータと、
上記レンズ部を傾斜可能に保持するレンズ部保持機構であって、上記オートコリメータより射出されたレーザー光が、上記レンズ部に固定された上記第１の対物レンズに入射し、かつ、上記オートコリメータより射出されたレーザー光が、上記レンズ部に傾斜可能に取り付けられている上記第２の対物レンズに入射するよう、上記レンズ部を保持するレンズ部保持機構と、
上記第２の対物レンズの傾斜を調整する第２の対物レンズ傾き調整機構と、を備えている、
ことを特徴とする、光ピックアップの製造装置。
【発明の詳細な説明】
【技術分野】
【０００１】
本発明は、２以上の対物レンズとを備えた光ピックアップの製造方法、調整方法、及び製造装置に関する。
【背景技術】
【０００２】
規格が異なる２以上の光記録媒体に対応するために、２以上の対物レンズとを備えた、２レンズ方式の光ピックアップが普及している（特許文献１参照）。このような光ピックアップにおいては、２以上の対物レンズの光軸調整を如何に行うかという点が、重要な技術的課題となっている。
【０００３】
特許文献１に記載の光ピックアップは、複数の対物レンズを挿設するための複数の取付孔を持ち、これらの取付孔のうち少なくとも何れか１つの載置面が曲面により形成された対物レンズホルダを備えている。これにより、載置面が曲面である取付孔に挿設された対物レンズの傾斜調整が可能になる。
【０００４】
図９は、特許文献１に記載の組み立て装置の部分上面図であり、図１０は同組み立て装置の部分断面図である。この組み立て装置によれば、対物レンズホルダ４００の取付孔に傾斜可能に挿設された、対物レンズ４０１及び対物レンズ４０２の傾斜を調整することができる。対物レンズ４０１の傾斜調整は、対物レンズ４０１の外周面にて反射された反射光を観測しながら、対物レンズ４０１を押圧するレンズ固定治具４０３を回動することにより実現されている。対物レンズ４０２の調整についても同様である。
【特許文献１】特開２００６−１９００１（２００６年１月１９日公開）
【発明の開示】
【発明が解決しようとする課題】
【０００５】
特許文献１に記載の調整方法は、２つの対物レンズの光軸が互いに平行になるよう、各対物レンズの外周面（コバ面）より反射された反射光に基づいて、対物レンズホルダに取り付けられた各対物レンズの傾斜を調整するものである。より具体的には、方眼紙等のターゲットに照射された反射光を観察することによって、各対物レンズの傾斜を調整するものである。このため、特許文献１に記載の調整方法には、以下のような問題がある。
【０００６】
まず、特許文献１に記載の調整方法では、ターゲットに照射された反射光の形が歪んだり、ビーム径が大きくなったりする。このため、対物レンズの光軸を精度良く調整するには、作業者の熟練度を必要とした。
【０００７】
また、特許文献１に記載の調整方法によって各対物レンズの光軸方向を正確に調整するためには、その対物レンズの光軸とその対物レンズの外周面とが正確に直交していることが前提となる。ところが、実際の対物レンズには形状公差（幾何公差）があり、全ての対物レンズにおいて光軸と外周面とが正確に直交しているわけではない。このため、対物レンズの光軸方向を正確に調整することができないという問題があった。
【０００８】
本発明は、上記の課題に鑑みてなされたものであり、その目的は、２以上の対物レンズの光軸調整を、作業者の熟練度を必要とせずに高い精度で調整することができる、光ピックアップの製造方法、調整方法、および、製造装置を実現することにある。
【課題を解決するための手段】
【０００９】
上記課題を解決するために、本発明に係る光ピックアップの製造方法は、第１の対物レンズ及び第２の対物レンズを有するレンズ部を備えた光ピックアップの製造方法であって、オートコリメータより射出されたレーザー光の光軸と上記レンズ部に固定された上記第１の対物レンズの光軸とが平行になるよう、上記第１の対物レンズを通過した後、上記第１の対物レンズと対向するように配置された反射ミラーによって反射された上記レーザー光の戻り光を上記オートコリメータにより観測することによって、傾斜可能に保持されている上記レンズ部の傾斜を調整する第１の傾斜調整工程と、上記レーザー光の光軸と上記レンズ部に傾斜可能に取り付けられている上記第２の対物レンズの光軸とが平行になるよう、上記第２の対物レンズを通過し、上記第２の対物レンズと対向するように配置された反射ミラーによって反射された上記レーザー光の上記戻り光を上記オートコリメータにより観測することによって、上記第２の対物レンズの傾斜を調整する第２の傾斜調整工程と、を含んでいる、ことを特徴としている。
【００１０】
上記の構成に拠れば、上記レーザー光の光軸と上記レンズ部に固定された上記第１の対物レンズの光軸とが平行になり、かつ、上記レーザー光の光軸と上記レンズ部に傾斜可能に取り付けられている上記第２の対物レンズの光軸とが平行になるよう、上記第２の対物レンズの傾斜を調整することができる。
【００１１】
しかも、上記第１の対物レンズを通過した後、上記第１の対物レンズと対向するように配置された反射ミラーによって反射された上記レーザー光の戻り光を上記オートコリメータにより観測することによって上記レンズ部の傾斜を調整しているので、上記レンズ部の傾斜を、従来よりも精度よく調整することができる。また、上記第２の対物レンズを通過した後、上記第２の対物レンズと対向するように配置された反射ミラーによって反射された上記レーザー光の戻り光を上記オートコリメータにより観測することによって上記第２レンズの傾斜を調整しているので、上記第２の対物レンズの傾斜を従来よりも精度よく調整することができる。すなわち、従来よりも高い精度で傾斜調整を行うことができるという効果を奏する。
【００１２】
更に、方眼紙等のターゲットに照射された反射光のスポットを目視することによる従来の傾斜調整では作業者の習熟度が要求されていたのに対し、上記構成によれば、作業者の熟練度を必要とせずに高い精度で傾斜調整を行うことができるという効果を奏する。
【００１３】
本発明に係る光ピックアップの製造方法において、上記反射ミラーは、上記第１の対物レンズ及び上記第２の対物レンズのディスク対向面側に配置されている、ことが好ましい。
【００１４】
上記の構成に拠れば、上記レンズ部、及び、上記第２の対物レンズの傾斜を調整するために利用する上記レーザー光の光路の一部と、当該製造方法により製造された光ピックアップにおいて、光源から射出された光ビームが対物レンズを透過して光ディスクに入射し、また、光ディスクにより反射された戻り光が再び対物レンズを透過して受光素子へと至る光路の一部とが同一になる。したがって、当該製造方法により製造された光ピックアップの使用時に近い条件下で上記レンズ部、及び、上記第２の対物レンズの傾斜を調整することができる。したがって、より高い精度で傾斜調整を行うことができるという更なる効果を奏する。
【００１５】
本発明に係る光ピックアップの製造方法において、上記第１の傾斜調整工程と上記第２の傾斜調整工程との間に、上記レンズ部の傾斜を維持したまま上記第１の対物レンズへの上記レーザー光の入射方向と垂直な面内で上記レンズ部を移動する工程を含んでおり、上記第１の傾斜調整工程において使用する反射ミラーと、上記第２の傾斜調整工程において使用する反射ミラーとは、同一の反射ミラーである、ことが好ましい。
【００１６】
上記の構成に拠れば、１つの反射ミラーにより上記第１の傾斜調整工程及び上記第２の傾斜調整工程が行える。したがって、反射ミラーを２つ備える必要が無い。これにより、装置の小型化が図れる、という更なる効果を奏する。
【００１７】
本発明に係る光ピックアップの製造方法において、上記第１の傾斜調整工程又は第２の傾斜調整工程の前に、上記オートコリメータにより観測された上記戻り光のビーム径を最小化するよう、上記第１の対物レンズへの上記レーザー光の入射方向と平行な方向に上記レンズ部を移動する工程を含んでいる、ことが好ましい。
【００１８】
上記の構成に拠れば、上記戻り光の光軸中心をより高い精度で観測することができる。したがって、より精度の高い上記レンズ部及び上記第２の対物レンズの傾斜調整ができる、という更なる効果を奏する。
【００１９】
本発明に係る光ピックアップの製造方法において、上記レンズ部には、上記第１の対物レンズを取り付けるための取付孔であって、上記第１の対物レンズと嵌合する取付孔が形成されている、ことが好ましい。
【００２０】
上記の構成に拠れば、上記第１の対物レンズを上記レンズ部により確実に固定することができる。したがって、上記第１の対物レンズの傾斜が変化して調整精度が低下することを防止するという更なる効果を奏する。
【００２１】
本発明に係る光ピックアップの製造方法において、上記レンズ部には、上記第２の対物レンズを取り付けるための取付孔であって、側面が円錐面をなす取付孔が形成されている、ことが好ましい。
【００２２】
上記の構成に拠れば、上記第２の対物レンズを上記レンズ部に傾斜可能に取り付けることができる。したがって、上記第２の傾斜調整工程において、上記第２の対物レンズの傾斜を容易に調整することができる、という更なる効果を奏する。
【００２３】
本発明に係る光ピックアップの製造方法において、上記第２の傾斜調整工程は、上記第２の対物レンズの外周部を押圧する３つの爪を有する板状治具を用いて、上記第２の対物レンズの傾斜を調整する工程である、ことが好ましい。
【００２４】
上記の構成に拠れば、上記第２の対物レンズの外周部の３点を押圧することによって、上記レンズ部に傾斜可能に取り付けられた上記第２の対物レンズの傾斜を、自由に、かつ、スムーズに調整することができる。しかも、上記板状治具は、上記第２の対物レンズの外周部を押圧するので、上記第２の対物レンズのレンズ面を損傷することがない、という更なる効果を奏する。
【００２５】
本発明に係る光ピックアップの製造方法において、上記板状治具の上記３つの爪に囲まれた領域には、開口部が形成されている、ことが好ましい。
【００２６】
上記の構成に拠れば、上記オートコリメータより射出され、上記レンズ部の上記第２の対物レンズにより集光されたレーザー光は、上記開口部を通って上記板状治具を透過する。したがって、上記オートコリメータより射出され、上記レンズ部の上記第２の対物レンズにより集光されたレーザー光により、上記第２の対物レンズの傾斜を調整することができる、という更なる効果を奏する。
【００２７】
本発明に係る光ピックアップの製造方法において、上記開口部は、三つ葉状に形成されており、上記３つの爪は、当該開口部の中心に向かって突出した、上記板状治具の突出部の先端に形成されている、ことが好ましい。
【００２８】
上記構成に拠れば、三つ葉状に形成された上記開口部の各葉に相当する部分から、上記第２の対物レンズの周囲に設けられた接着剤溜りに接着剤を注入するためのニードルを挿入したり、接着剤溜りに注入された接着剤に紫外線を照射したりすることができる、という更なる効果を奏する。
【００２９】
上記課題を解決するために、本発明に係る光ピックアップの調整方法は、第１の対物レンズ及び第２の対物レンズを有するレンズ部を備えた光ピックアップの調整方法であって、オートコリメータより射出されたレーザー光の光軸と上記レンズ部に固定された上記第１の対物レンズの光軸とが平行になるよう、上記第１の対物レンズを通過した後、上記第１の対物レンズと対向するように配置された反射ミラーによって反射された上記レーザー光の戻り光を上記オートコリメータにより観測することによって、傾斜可能に保持されている上記レンズ部の傾斜を調整する第１の傾斜調整工程と、上記レーザー光の光軸と上記レンズ部に傾斜可能に取り付けられている上記第２の対物レンズの光軸とが平行になるよう、上記第２の対物レンズを通過し、上記第２の対物レンズと対向するように配置された反射ミラーによって反射された上記レーザー光の上記戻り光を上記オートコリメータにより観測することによって、上記第２の対物レンズの傾斜を調整する第２の傾斜調整工程と、を含んでいる、ことを特徴としている。
【００３０】
上記の構成に拠れば、上記レーザー光の光軸と上記レンズ部に固定された上記第１の対物レンズの光軸とが平行になり、かつ、上記レーザー光の光軸と上記レンズ部に傾斜可能に取り付けられている上記第２の対物レンズの光軸とが平行になるよう、上記第２の対物レンズの傾斜を調整することができる。
【００３１】
しかも、上記第１の対物レンズを通過した後、上記第１の対物レンズと対向するように配置された反射ミラーによって反射された上記レーザー光の戻り光を上記オートコリメータにより観測することによって上記レンズ部の傾斜を調整しているので、上記レンズ部の傾斜を、従来よりも精度よく調整することができる。また、上記第２の対物レンズを通過した後、上記第２の対物レンズと対向するように配置された反射ミラーによって反射された上記レーザー光の戻り光を上記オートコリメータにより観測することによって上記第２レンズの傾斜を調整しているので、上記第２の対物レンズの傾斜を従来よりも精度よく調整することができる。すなわち、従来よりも高い精度で傾斜調整を行うことができるという効果を奏する。
【００３２】
更に、方眼紙等のターゲットに照射された反射光のスポットを目視することによる従来の傾斜調整では作業者の習熟度が要求されていたのに対し、上記構成によれば、作業者の熟練度を必要とせずに高い精度で傾斜調整を行うことができるという効果を奏する。
【００３３】
上記課題を解決するために、本発明に係る光ピックアップの製造装置は、第１の対物レンズ及び第２の対物レンズを有するレンズ部を備えた光ピックアップの製造装置であって、オートコリメータと、上記レンズ部を傾斜可能に保持するレンズ部保持機構であって、上記オートコリメータより射出された上記レーザー光が、上記レンズ部に固定された上記第１の対物レンズに入射し、かつ、上記オートコリメータより射出された上記レーザー光が、上記レンズ部に傾斜可能に取り付けられている上記第２の対物レンズに入射するよう、上記レンズ部を保持するレンズ部保持機構と、
上記第２の対物レンズの傾斜を調整する第２の対物レンズ傾き調整機構と、を備えている、ことを特徴としている。
【００３４】
上記の構成に拠れば、上記対物レンズ部保持機構を用いて、上記レーザー光の光軸と上記レンズ部に固定された上記第１の対物レンズの光軸とが平行になるよう、上記レンズ部の傾斜を調整することができる。また、上記第２の対物レンズ傾き調整機構を用いて、上記レーザー光の光軸と上記レンズ部に傾斜可能に取り付けられている上記第２の対物レンズの光軸とが平行になるよう、上記第２の対物レンズの傾斜を調整することができる。
【００３５】
しかも、上記第１の対物レンズを通過した後、上記第１の対物レンズと対向するように配置された反射ミラーによって反射された上記レーザー光の戻り光を上記オートコリメータにより観測することによって上記レンズ部の傾斜を調整することによって、上記レンズ部の傾斜を従来よりも精度よく調整することができる。また、上記第２の対物レンズを通過した後、上記第２の対物レンズと対向するように配置された反射ミラーによって反射された上記レーザー光の戻り光を上記オートコリメータにより観測することにより上記第２レンズの傾斜を調整することによって、上記第２の対物レンズの傾斜を従来よりも精度よく調整することができる。すなわち、従来よりも高い精度で傾斜調整を行うことができるという効果を奏する。
【００３６】
更に、方眼紙等のターゲットに照射された反射光のスポットを目視することによる従来の傾斜調整では作業者の習熟度が要求されていたのに対し、上記構成によれば、作業者の熟練度を必要とせずに高い精度で傾斜調整を行うことができるという効果を奏する。
【発明の効果】
【００３７】
本発明は、以上のように、第１の対物レンズ及び第２の対物レンズを有するレンズ部を備えた光ピックアップの製造方法であって、オートコリメータより射出されたレーザー光の光軸と上記レンズ部に固定された上記第１の対物レンズの光軸とが平行になるよう、上記第１の対物レンズを通過した後、上記第１の対物レンズと対向するように配置された反射ミラーによって反射された上記レーザー光の戻り光を上記オートコリメータにより観測することによって、傾斜可能に保持されている上記レンズ部の傾斜を調整する第１の傾斜調整工程と、上記レーザー光の光軸と上記レンズ部に傾斜可能に取り付けられている上記第２の対物レンズの光軸とが平行になるよう、上記第２の対物レンズを通過し、上記第２の対物レンズと対向するように配置された反射ミラーによって反射された上記レーザー光の上記戻り光を上記オートコリメータにより観測することによって、上記第２の対物レンズの傾斜を調整する第２の傾斜調整工程と、を含んでいる。
【００３８】
したがって、作業者の熟練度を要することなく、従来よりも高い精度で傾斜調整を行うことができるという効果を奏する。
【発明を実施するための最良の形態】
【００３９】
本発明の一実施形態について、図面に基づいて説明すれば以下のとおりである。
【００４０】
なお、本実施形態に係る製造装置及び製造方法により製造される光ピックアップは、第１の対物レンズ３０１及び第２の対物レンズ３０２を備えたレンズ部３００を備える光ピックアップである。
【００４１】
まず、光ピックアップを製造するために用いる製造装置１００について、図２から図７までに基づいて説明する。
【００４２】
図２は、製造装置１００の全体構成を示す正面図である。図３は、製造装置１００の全体構成を示す側面図である。
【００４３】
製造装置１００は、図２及び図３に示したように、概略的に言えば、装置ベース１１０と、Ｚステージ１２０と、ＸＹステージ１３０と、傾斜ステージ１４０と、レンズ部保持機構１５０と、レンズ傾斜調整機構１６０と、測定光学系２００とを含んで構成されている。
【００４４】
Ｚステージ１２０は、該ステージ上に設置されたＸＹステージ１３０、傾斜ステージ１４０、レンズ部保持機構１５０、及びレンズ傾斜調整機構１６０を、鉛直方向（図示したＺ軸方向）に移動するための機構であり、操作者は、該ステージ上に設置されたこられらの機構を保持する高さを調整することができる。
【００４５】
ＸＹステージ１３０は、該ステージ上に設置された傾斜ステージ１４０、レンズ部保持機構１５０、及びレンズ傾斜調整機構１６０を、水平方向（図示したＸ軸方向およびＹ軸方向）に移動するための機構であり、操作者は、該ステージ上に設置されたこれらの機構を保持する位置を調整することができる。
【００４６】
傾斜ステージ１４０は、レンズ部保持機構１５０の傾きを調整するための機構であり、操作者は、該ステージ上に設置されたレンズ部保持機構１５０を、任意の方向に任意の確度傾斜させることができる。傾斜ステージ１４０としては、例えば、Ｘ軸に平行な回転軸とＹ軸に平行な回転軸とを有する２軸傾斜ステージを用いることができる。
【００４７】
これらの構成により、製造装置１００の操作者は、傾斜ステージ１４０に固定されたレンズ部保持機構１５０により保持されたレンズ部３００の位置および傾斜を、自由に調整することができる。
【００４８】
レンズ傾斜調整機構１６０は、レンズ部３００の対物レンズホルダ３０３に傾斜可能に取り付けられている第２の対物レンズ３０２の傾斜を調整するための機構であり、第２の対物レンズ３０２を上部から押圧する対物レンズ押え１６１と、対物レンズ押え１６１をＹ軸を回転軸として回動することによって、第２の対物レンズ３０２の傾斜を調整する対物レンズＹ方向傾斜調整部１６２と、対物レンズ押え１６１をＸ軸を回転軸として回動することによって、第２の対物レンズ３０２の傾斜を調整する対物レンズＸ方向傾斜調整部１６３とからなる。
【００４９】
製造装置１００の操作者は、対物レンズＹ方向傾斜調整部１６２と、対物レンズＸ方向傾斜調整部１６３とを操作することにより、レンズ部３００の対物レンズホルダ３０３に取り付けられている第２の対物レンズ３０２の傾斜を自由に調整することができる。
【００５０】
測定光学系２００は、オートコリメータ２１０と、立上ミラー２２０と、反射ミラー２３０と、フレーム２４０とからなる。立上ミラー２２０は、レンズ部３００の真下に配置されており、その鏡面は、Ｘ軸と平行であり、かつ、Ｙ軸と４５°をなす。また、反射ミラー２３０は、レンズ部３００の直上に配置されており、その鏡面は、Ｚ軸と垂直である。これらの配置は、装置ベース１１０に固定されたフレーム２４０により維持されている。
【００５１】
なお、レンズ部３００は、ディスク対向面が上を向くようにレンズ部保持機構１５０により保持されている。このため、レンズ部３００のディスク対向面は、レンズ部３００の真上に配置された反射ミラー２３０の鏡面に対向する。なお、レンズ部３００のディスク対向面とは、レンズ部３００を備えた光ピックアップが光ディスクドライブに内蔵されたときに、この光ディスクドライブに挿入された光ディスクと対向する面のことである。
【００５２】
図４は、レンズ部保持機構１５０周辺の構成を示す、製造装置１００の部分切欠き断面図である。
【００５３】
図４に示したように、レンズ部保持機構１５０は、支柱１５３と、対物レンズホルダ押え１５４と、アクチュエータ受け台１５５と、脚部１５６とを含んで構成されている。アクチュエータ受け台１５５は、レンズ部３００のアクチュエータフレーム３０４（図５参照）を下面から保持し、対物レンズホルダ押え１５４は、レンズ部３００の対物レンズホルダ３０３（図５参照）を側面から保持する。なお、対物レンズホルダ押え１５４、及び、アクチュエータ受け台１５５は、それぞれ、支柱１５３、及び、脚部１５６を介して傾斜ステージ１４０に固定されており、連動して傾斜するように構成されている。
【００５４】
レンズ部３００が保持される位置は、レンズ部保持機構１５０が備える立上ミラー２２０の真上である。より正確に言うと、オートコリメータ２１０から射出されたレーザー光を鉛直方向（図示したＺ軸方向）に立ち上げる立上ミラー２２０の真上に第１の対物レンズ３０１、又は第２の対物レンズ３０２が位置するよう、レンズ部３００を保持する位置が決められている。
【００５５】
図５は、アクチュエータ受け台１５５上に据え置かれたレンズ部３００の構成を示す断面図である。図５に示したように、レンズ部３００は、アクチュエータフレーム３０４と、ワイア３０５を介してアクチュエータフレーム３０４に取り付けられた対物レンズホルダ３０３と、対物レンズホルダ３０３に接着固定された第１の対物レンズ３０１と、対物レンズホルダ３０３に傾斜可能に取り付けられた第２の対物レンズ３０２とからなる。
【００５６】
レンズ部３００が備える対物レンズホルダ３０３には、第１の対物レンズ３０１を取り付ける取付孔３０３ａと、第２の対物レンズ３０２を取り付ける取付孔３０３ｂとが形成されている。第１の対物レンズ３０１を取り付けるための取付孔３０３ａは、第１の対物レンズ３０１と嵌合するように形成されており、第１の対物レンズ３０１を対物レンズホルダ３０３に密着固定することができる。第１の対物レンズ３０１は、取付孔３０３ａに接着剤を塗布して固定される。また、第２の対物レンズ３０２を取り付けるための取付孔３０３ｂは、図５に示したように、側面が円錐面をなすよう形成されており、第２の対物レンズ３０２の外周部３０２ａの角が取付孔３０３ｂの側面と線接触するようになっている。このため、取付孔３０３ｂに嵌め込まれた第２の対物レンズ３０２は、取付孔３０３ｂの円錐面（側面）からの垂線と該円錐面の中心軸の交わる点Ｏを中心にして、取付孔３０３ｂに傾斜可能に取り付けられる。なお、対物レンズホルダ３０３には、取付孔３０３ｂの周囲三方に、接着材を充填するための接着剤溜り３０３ｃが設けられている。
【００５７】
図６は、対物レンズ押え１６１周辺の構成を示す、製造装置１００の部分切欠き断面図である。図７は、対物レンズ押え１６１周辺の構成を示す、製造装置１００の上面図である。図８は、対物レンズ押え１６１の先端周辺の構成を示す、製造装置１００の部分断面図である。
【００５８】
対物レンズ押え１６１は、概ね長方形の板上に形成されており、一端がレンズ部３００上に延伸している。そして、対物レンズ押え１６１のレンズ部３００側の端部には、図７に示したように、３つの円形開口部を合併させた三つ葉状開口部１６１ａが形成されている。この三つ葉状開口部１６１ａは、その中心がちょうど第２の対物レンズ３０２の真上に配置され、第２の対物レンズ３０２により集光されたレーザー光が、対物レンズ押え１６１により遮蔽されることなく、反射ミラー２３０に入射するようになっている。
【００５９】
また、図６に示したように、三つ葉状開口部１６１ａの括れ、すなわち、三つ葉状開口部１６１ａの中心に向かって突出した３つの突出部は、第２の対物レンズ３０２の外周部に達している。そして、各突出部の先端下面には、図８に示したように、第２の対物レンズ３０２の外周部３０２ａを押圧する３つの爪１６１ｃを有する板状治具が形成されている。このため、対物レンズ押え１６１の傾斜と連動して、第２の対物レンズ３０２の傾斜を自由に調整することができる。
【００６０】
さらに、図７に示したように、三つ葉状開口部１６１ａの各葉に相当する部分が、対物レンズ３０２の周囲に形成された接着剤溜り３０３ｃの真上に配置されている。このため、接着剤溜り３０３ｃに接着剤を注入するためのニードルを、対物レンズ押え１６１の上部から接着剤溜り３０３ｃに挿し込んだり、注入した接着剤を硬化させるための紫外線を、対物レンズ押え１６１の上部から照射したりすることができる。
【００６１】
次に、製造装置１００を用いた、光ピックアップの製造方法Ｓ１００について、図１に基づいて説明する。
【００６２】
図１は、製造方法Ｓ１００の概略的な流れを示した概略流れ図である。
【００６３】
製造方法Ｓ１００は、図１に示すように、レンズ部３００の傾斜を調整する工程Ｓ１１０と、第２の対物レンズ３０２の傾斜を調整する工程Ｓ１２０と、第２の対物レンズ３０２を固定する工程Ｓ１３０とを含む。
【００６４】
レンズ部３００の傾斜を調整する工程Ｓ１１０は、オートコリメータ２１０が備える光源から射出されたレーザー光の光軸と、レンズ部３００に固定された第１の対物レンズ３０１の光軸とが平行になるよう、レンズ部３００の傾斜を調整する工程である。
【００６５】
より具体的には、まず、第１の対物レンズ３０１が、オートコリメータ２１０から射出され、立上ミラー２２０により反射されたレーザー光の光軸上に位置するように、ＸＹステージ１３０を用いてレンズ部３００を保持する位置を調整する。この段階で、第１の対物レンズ３０１は、位置決めされた状態で接着剤により対物レンズホルダ３０３に固定（接着固定）されている。一方、第２の対物レンズ３０２は、対物レンズホルダ３０３に傾斜可能に取り付け（未接着状態で仮止め）されている（図５参照）。
【００６６】
次に、オートコリメータ２１０が備える光源を点灯し、レーザー光の射出を開始する。射出されたレーザー光は、立上ミラー２２０に反射され、第１の対物レンズ３０１を通過した後、反射ミラー２３０により反射される。反射したレーザー光（戻り光）は、往路と同一の光路を通ってオートコリメータ２１０に戻ってくる。
【００６７】
ここで、オートコリメータ２１０により観測された戻り光のビーム径を最小化するように、Ｚステージ１２０を用いてレンズ部３００を保持する高さを調整する。次に、オートコリメータ２１０により観測された戻り光の像が検出表示部の指定位置に来るように、傾斜ステージ１４０を操作してレンズ部３００の傾斜を調整する。
【００６８】
これにより、オートコリメータ２１０が備える光源から射出されたレーザー光の光軸とレンズ部３００に固定されている第１の対物レンズ３０１の光軸とが平行になるよう、レンズ部３００の傾斜が調整される。このように、レンズ部３００の傾斜を調整する前に、レンズ部３００を保持する高さを調整することによって、レンズ部３００の傾斜調整における調整精度を向上させることができる。
【００６９】
第２の対物レンズ３０２の傾斜を調整する工程Ｓ１２０は、オートコリメータ２１０が備える光源から射出されたレーザー光の光軸と、レンズ部３００に傾斜可能に取り付けられている第２の対物レンズ３０２の光軸とが平行になるよう、第２の対物レンズ３０２の傾斜を調整する工程である。
【００７０】
より具体的には、まず、第２の対物レンズ３０２が、オートコリメータ２１０から射出され、立上ミラー２２０により反射されたレーザー光の光軸上に位置するように、ＸＹステージ１３０を用いてレンズ部３００を保持する位置を調整する（図６参照）。ここで、アクチュエータ位置決め台１５５と対物レンズホルダ押え１５４とによって挟持されたレンズ部３００をＸＹステージ１３０を用いて移動しているので、移動の過程でレンズ部３００の傾斜角は一定に保たれる。
【００７１】
また、ＸＹステージ１３０を用いてレンズ部３００を移動することによって、第１の傾斜調整工程において使用する反射ミラーと同一の反射ミラーを、上記第２の傾斜調整工程において使用することができる。したがって、反射ミラーを２つ備える必要が無い。これにより、装置の小型化が図れる。
【００７２】
次に、オートコリメータ２１０が備える光源を再点灯し、レーザー光の射出を開始する。射出されたレーザー光は、立上ミラー２２０により反射され、第２の対物レンズ３０２を通過した後、反射ミラー２３０により反射される。反射したレーザー光は、往路と同一の光路を通ってオートコリメータ２１０に戻ってくる。
【００７３】
ここで、オートコリメータ２１０により観測された戻り光のビーム径を最小化するように、Ｚステージ１２０を用いてレンズ部３００を保持する高さを再度調整する。次に、オートコリメータ２１０により観測された戻り光の像が検出表示部の指定位置に来るように、レンズ傾斜調整機構１６０を用いて第２の対物レンズ３０２の傾斜を調整する。
【００７４】
これにより、オートコリメータ２１０が備える光源から射出されたレーザー光の光軸と、レンズ部３００に固定されている第２の対物レンズ３０２の光軸とが平行になるよう、第２の対物レンズ３０２の傾斜が調整される。このように、第２の対物レンズ３０２の傾斜を調整する前に、レンズ部３００を保持する高さを調整することによって、第２の対物レンズ３０２の傾斜調整における調整精度を向上させることができる。
【００７５】
第２の対物レンズ３０２を固定する工程Ｓ１３０は、第２の対物レンズ３０２を傾斜調整がなされた状態でレンズ部３００に固定する工程である。
【００７６】
具体的には、まず、ＸＹステージ１３０を用いて、接着剤溜り３０３ｃへの接着剤の注入、及び、注入した接着剤への紫外線照射が可能な位置にレンズ部３００を移動する。
【００７７】
そして、対物レンズ押え１６１の三つ葉状開口部１６１ａの各葉に相当する部分よりニードルを挿入し、対物レンズホルダ３０３の接着剤溜り３０３ｃに接着剤を注入する。さらに、紫外線を照射することにより、接着剤溜り３０３ｃに注入した接着剤を硬化させ、第２の対物レンズ３０２を対物レンズホルダ３０３に接着固定する。
【００７８】
第２の対物レンズ３０２の固定完了後、第２の対物レンズ押え１６１及び対物レンズホルダ押え１５４を解除することにより、レンズ部３００を製造装置１００から取り出す。
【００７９】
以上がレンズの傾きを調整する工程である。以上の工程により調整されたレンズ部３００を光ピックアップ装置に組み込むことによって、光ピックアップを製造することができる。このようにして光ピックアップを製造することによって、２個の対物レンズの相対的な傾きを調整する精度が向上する。したがって、不良率が低下するため、低コスト化が可能になる。
【００８０】
（付記事項）
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００８１】
例えば、本発明は、以下のように表現することもできる。
【００８２】
１．光ピックアップの対物レンズボルダに接着固定された、第１の対物レンズに下方からオートコリメータのレーザー光を通過させ、対物レンズの上側に反射ミラーを設置し、反射ミラーからの帰ってくる反射光で、対物レンズの傾きに連動する反射光を検出して、対物レンズの傾き調整を行う。この反射光の相対的な傾きに、第１の対物レンズと同様に反射光を検出し、第２の対物レンズを対物レンズホルダ内で傾け調整できる機構を有し、対物レンズ調整押えで、光軸調整ができることを特長とする対物レンズの傾き調整方法である。
【００８３】
２．上記対物レンズの傾き調整方法で反射ミラーはピックアップの状態でディスク側に相当する側に配置することを特長とする１に記載の対物レンズの傾き調整方法である。
【００８４】
３．上記対物レンズの傾き調整方法で反射ミラーは第１及び第２の対物レンズの光軸調整をするのに、１個の反射ミラーで行うことを特長とする１に記載の対物レンズの傾き調整方法である。
【００８５】
４．上記対物レンズの傾き調整方法で、オートコリメータによる、反射ミラーからの反射光を検出して、第１及び第２の対物レンズの光軸調整をすることを特長とする１に記載の対物レンズの傾き調整方法である。
【００８６】
５．上記対物レンズの傾き調整方法で、オートコリメータによる、反射ミラーからの第１及び第２の対物レンズの反射光を検出するのに、対物レンズ側に高さ調整できる機構を設けたことを特長とする１に記載の対物レンズの傾き調整方法である。
【００８７】
６．上記アクチュエータの一方の対物レンズは対物レンズホルダに調整なしに、密着固定できる形状にしたことを特長とする１に記載の対物レンズの傾き調整方法である。
【００８８】
７．上記アクチュエータの他方の対物レンズは対物レンズホルダ内で、傾き調整できる形状にしたことを特長とする１に記載の対物レンズの傾き調整方法である。
【００８９】
８．上記アクチュエータの対物レンズの傾き調整が確実に行えるように対物レンズ部の保持機構を設けたことを特長とする１に記載の対物レンズの傾き調整方法である。
【００９０】
９．上記傾き調整方法によって組み立てられた２つの対物レンズを有する対物レンズホルダ。
【００９１】
１０．９の対物レンズホルダを有する光ピックアップ。
【産業上の利用可能性】
【００９２】
本発明は、光源から射出されたレーザー光を集光する２以上の対物レンズとを備えた光ピックアップの製造に好適に利用することができる。
【図面の簡単な説明】
【００９３】
【図１】本発明の実施形態を示すものであり、光ピックアップの製造方法の概略的な流れを示した概略流れ図である。
【図２】本発明の実施形態を示すものであり、光ピックアップの製造装置の全体構成を示す正面図である。
【図３】本発明の実施形態を示すものであり、光ピックアップの製造装置の全体構成を示す側面図である。
【図４】本発明の実施形態を示すものであり、図２に示した製造装置のレンズ部保持機構周辺の構成を示す、部分切欠き断面図である。
【図５】本発明の実施形態を示すものであり、光ピックアップのレンズ部の構成を示す断面図である。
【図６】本発明の実施形態を示すものであり、図２に示した製造装置の対物レンズ押え周辺の構成を示す部分切欠き断面図である。
【図７】本発明の実施形態を示すものであり、図２に示した製造装置の対物レンズ押え周辺の構成を示す上面図である。
【図８】本発明の実施形態を示すものであり、図２に示した製造装置の対物レンズ押えの先端周辺の構成を示す部分断面図である。
【図９】従来技術を示すものであり、組み立て装置の部分上面図である。
【図１０】従来技術を示すものであり、図８に示した組み立て装置の部分断面図である。
【符号の説明】
【００９４】
１００        製造装置
１１０            装置ベース
１２０            Ｚステージ
１３０            ＸＹステージ
１４０            傾斜ステージ
１５０            レンズ部保持機構
１５３                支柱
１５４                対物レンズホルダ押え
１５５                アクチュエータ受け台
１５６                脚部
１６０            レンズ傾斜調整機構
１６１                対物レンズ押え
１６１ａ                  三つ葉状開口部
１６２                対物レンズＹ方向傾斜調整部
１６３                対物レンズＸ方向傾斜調整部
２００            測定光学系
２１０                オートコリメータ
２２０                立上ミラー
２３０                反射ミラー
２４０                フレーム
３００            レンズ部
３０１                第１の対物レンズ
３０２                第２の対物レンズ
３０３                対物レンズホルダ
３０３ａ、ｂ              取付孔
３０３ｃ                  接着剤溜り
３０４                アクチュエータフレーム
３０５                ワイア
【図１】
2010040107.tif 000003
【図２】
2010040107.tif 000004
【図３】
2010040107.tif 000005
【図４】
2010040107.tif 000006
【図５】
2010040107.tif 000007
【図６】
2010040107.tif 000008
【図７】
2010040107.tif 000009
【図８】
2010040107.tif 000010
【図９】
2010040107.tif 000011
【図１０】
2010040107.tif 000012